(57)【要約】【課題】記録された情報の保安性を保障すること。【解決手段】データが記録されたトラックに沿って形成されたピットを含む制御データ領域であって、トラックの一部分にあるピットがウォーブルピットとして形成され、制御データ領域のトラックの他の部分にあるピットが実質的に直列ピットとして形成され、ウォーブルピットが制御データ領域内の直列ピットと間歇的に、または交番的に形成される制御データ領域と、トラックに沿って形成され、直列ピットに変調して記録されているメインデータを含むメインデータ領域とを含み、制御データ領域が１つまたは複数のアドレスユニットを含み、アドレスユニットが複数のフレームと、フレームのユニットで形成されたウォーブルピット及び直列ピットとを含み、アドレスユニットがウォーブルピットを有する少なくとも１つのフレームとウォーブルピットを有しない少なくとも１つのフレームとを含む記録媒体。【選択図】図５
2008027576.tif 000002
【特許請求の範囲】
【請求項１】
記録されたデータを含む記録媒体において、
データが記録されたトラックに沿って形成されたピットを含む制御データ領域であって、前記トラックの一部分にあるピットがウォーブルピットとして形成され、前記制御データ領域の前記トラックの他の部分にあるピットが実質的に直列ピットとして形成され、前記ウォーブルピットが前記制御データ領域内の前記直列ピットと間歇的に、または交番的に形成される制御データ領域と、
トラックに沿って形成され、直列ピットに変調して記録されているメインデータを含むメインデータ領域とを含み、
前記制御データ領域が１つまたは複数のアドレスユニットを含み、前記アドレスユニットが複数のフレームと、フレームのユニットで形成された前記ウォーブルピット及び直列ピットとを含み、前記アドレスユニットが前記ウォーブルピットを有する少なくとも１つのフレームと、前記ウォーブルピットを有しない少なくとも１つのフレームとを含むことを特徴とする記録媒体。
【請求項２】
前記制御データ領域の前記データが、バイフェーズ変調方式によって前記ウォーブルピットに記録されることを特徴とする請求項１に記載の記録媒体。
【請求項３】
前記データが、前記メインデータの再生及び／または記録の制御のために利用される制御情報を含むことを特徴とする請求項２に記載の記録媒体。
【請求項４】
前記制御情報が前記ウォーブルピットの複数のアレイで繰り返しエンコーディングされることを特徴とする請求項３に記載の記録媒体。
【請求項５】
前記制御情報が、前記ウォーブルピットのアレイと前記直列ピットのアレイとを周期的に含むことを特徴とする請求項２に記載の記録媒体。
【請求項６】
前記制御データ領域の前記ウォーブルピットのアレイと前記直列ピットのアレイとは長さが異なることを特徴とする請求項５に記載の記録媒体。
【請求項７】
前記ウォーブルピットが１つのアドレスユニット内の２つより多いフレームで形成されることを特徴とする請求項１に記載の記録媒体。
【請求項８】
前記ウォーブルピットが１つのアドレスユニット内の第１フレームか、または他のフレームで形成されることを特徴とする請求項１に記載の記録媒体。
【請求項９】
記録媒体からデータを再生する方法において、
制御データ領域のトラックに沿って形成されたピットに記録されたデータを検出する段階であって、前記トラックの一部分にあるピットがウォーブルピットとして形成され、前記制御データ領域の前記トラックの他の部分にあるピットが実質的に直列ピットとして形成され、前記ウォーブルピットが前記制御データ領域内の前記直列ピットと間歇的に、または交番的に形成され、
前記制御データ領域が１つまたは複数のアドレスユニットを含み、前記アドレスユニットが複数のフレームと、フレームのユニットで形成された前記ウォーブルピット及び直列ピットとを含み、前記アドレスユニットが前記ウォーブルピットを有する少なくとも１つのフレームと、前記ウォーブルピットを有しない少なくとも１つのフレームとを含む段階と、
前記記録媒体のメインデータ領域のトラックに沿って形成され、直列ピットに変調して記録されているメインデータを再生するために、フレームのユニットで制御情報を生成する段階とを含むことを特徴とする方法。
【請求項１０】
前記検出段階が、前記ウォーブルピットから反射された信号を電気的信号に変換することと、
前記電気的信号を論理回路に適用することによって前記データを生成することとを含むことを特徴とする請求項９に記載の方法。
【請求項１１】
前記生成された制御情報を利用して前記メインデータを再生することをさらに含むことを特徴とする請求項１０に記載の方法。
【請求項１２】
前記検出段階が、前記トラックに沿って形成された前記ピットから反射されたビームにより生成された左側と右側の電気的信号の差信号からピットに記録された前記データを検出することを特徴とする請求項９に記載の方法。
【請求項１３】
前記検出段階が、前記直列ピットから反射されたビームにより生成された高周波の電気的信号から前記メインデータをさらに検出することを特徴とする請求項１２に記載の方法。
【請求項１４】
前記検出段階が、前記制御データ領域で各々異なる長さを有する前記ウォーブルピットのアレイと前記直列ピットのアレイとを含む前記制御データを検出することを特徴とする請求項９に記載の方法。
【請求項１５】
前記ウォーブルピットが１つのアドレスユニット内の２つより多いフレームで形成され、
前記生成段階が、１つのアドレスユニット内の２つより多いフレームで前記ウォーブルピットとして形成された前記制御情報を生成することを特徴とする請求項９に記載の方法。
【請求項１６】
前記ウォーブルピットが１つのアドレスユニット内の第１フレームか、または他のフレームで形成され、
前記生成段階が、１つのアドレスユニット内の第１フレームか、または他のフレームで前記ウォーブルピットとして形成された前記制御情報を生成することを特徴とする請求項９に記載の方法。
【請求項１７】
記録媒体からデータを再生するための装置において、前記装置は、
制御データ領域のトラックに沿って形成されたピットに記録されたデータを検出するように適合された検出ユニットであって、前記トラックの一部分にあるピットがウォーブルピットとして形成され、前記制御データ領域の前記トラックの他の部分にあるピットが直列ピットとして形成され、前記ウォーブルピットが前記直列ピットと間歇的に、または交番的に記録され、前記制御データ領域が１つまたは複数のアドレスユニットを含み、前記アドレスユニットが複数のフレームと、フレームのユニットで形成された前記ウォーブルピット及び直列ピットとを含み、前記アドレスユニットが前記ウォーブルピットを有する少なくとも１つのフレームと、前記ウォーブルピットを有しない少なくとも１つのフレームとを含み、
前記ピットから反射された信号を電気的信号に変換し、前記電気的信号からデータを生成する検出ユニットと、
フレームの前記ユニットの制御情報を前記データから処理し、前記制御情報を利用して、前記記録媒体のメインデータ領域のトラックに沿って形成され、直列ピットに変調して記録されているメインデータを処理するように適合されたデータ処理器とを含むことを特徴とする装置。
【請求項１８】
前記制御情報の検出及び前記メインデータの処理を制御するための、前記検出ユニットと前記データ処理器とに結合された制御装置であって、前記制御情報に基づいて前記メインデータを出力するために前記データ処理器を制御する制御装置をさらに含むことを特徴とする請求項１７に記載の装置。
【請求項１９】
前記制御装置が、プッシュプル方式によって前記制御情報を検出するために前記検出ユニットを制御することを特徴とする請求項１８に記載の装置。
【請求項２０】
前記検出ユニットが１つのアドレスユニット内の２つより多いフレームで形成された前記ウォーブルピットを検出し、
前記データ処理器が１つのアドレスユニット内の２つより多いフレームで前記ウォーブルピットとして形成された前記制御情報を生成することを特徴とする請求項１７に記載の方法。
【請求項２１】
前記検出ユニットが１つのアドレスユニット内の第１フレームか、または他のフレームで形成された前記ウォーブルピットを検出し、
前記データ処理器が１つのアドレスユニット内の第１フレームか、または他のフレームで前記ウォーブルピットとして形成された前記制御情報を生成することを特徴とする請求項１７に記載の装置。
【発明の詳細な説明】
【技術分野】
【０００１】
本発明は、間歇的なまたは交番的なウォーブル（またはジグザグ）ピットで記録されたデータを有するＢＤ−ＲＯＭ（Ｂｌｕ−ｒａｙ  Ｄｉｓｃ−ＲＯＭ）のような記録媒体と、その記録媒体にデータを形成し、記録し、再生する装置と方法に関する。
【背景技術】
【０００２】
最近、高画質のビデオデータと高音質のオーディオデータを大容量で記録することができる新しい高密度光ディスクである再記録可能なブルーレイディスク（ＢＤ−ＲＥ：Ｂｌｕ−ｒａｙ  Ｄｉｓｃ−Ｒｅｗｒｉｔａｂｌｅ）に対する規格化作業が進展している。ＢＤ−ＲＥ関連製品は近く市場に出て商用化されることが期待される。
【０００３】
ＢＤ−ＲＥは、図１Ａに示したように、ディスクの内周からクランピング領域と、トランジション領域と、ＢＣＡ（Ｂｕｒｓｔ  Ｃｕｔｔｉｎｇ  Ａｒｅａ）領域と、リードイン領域がこの順序通りに設けられており、ディスクの中央部と外周部には、データ領域とリードアウト領域がそれぞれ設けられたディスク構造となっている。
【０００４】
ＢＣＡ領域は、図１Ｂに示したように、光ディスク装置内にＢＤ−ＲＥが挿入されたとき、最も早くアクセスされる最内周領域であって、ディスクのシリアル番号やディスク製造業者が事前に記録した他の選択的情報のようなディスクのための情報を含んでいる。
【０００５】
また、リードイン領域には、第１ガード（Ｇｕａｒｄ  １）領域、ＰＩＣ（Ｐｅｒｍａｎｅｎｔ  Ｉｎｆｏｒｍａｔｉｏｎ  ＆  Ｃｏｎｔｒｏｌ  ｄａｔａ）領域、第２ガード（Ｇｕａｒｄ  ２）領域、情報２（Ｉｎｆｏ  ２）領域、ＯＰＣ（Ｏｐｔｉｍｕｍ  Ｐｏｗｅｒ  Ｃａｌｉｂｒａｔｉｏｎ）領域などが区分して割り当てられている。第１ガード領域とＰＩＣ領域は、事前にデータが記録されている領域である反面、その他のリードイン領域、データ領域、リードアウト領域は、新しいデータが再記録できる領域である。
【０００６】
そして、ＰＩＣ領域は、永久的に保存されなければならないディスクの主要な一般情報が記録される領域である。その一般情報はウォーブル形状にＨＦＭ（Ｈｉｇｈ  Ｆｒｅｑｕｅｎｃｙ  Ｍｏｄｕｌａｔｅｄ）方式によりエンコーディングされて記録される。ＨＦＭグルーブは高周波帯域信号で放射方向で変調され、充分な容量とデータレートで繰り返された情報のためのデータチャネルを形成する。
【０００７】
ウォーブル形状へのデータエンコーディングは、図２に示したように、バイフェーズ変調（Ｂｉ−Ｐｈａｓｅ  Ｍｏｄｕｌａｔｅｄ）方式により変調して記録される。この変調方式では、０のビットがビットセルの開始時に遷移するものとして表現される一方、１のビットはビットセルの開始時と中間とで遷移するものとして表現される。変調したビットは図２に示すように、グルーブ平均中心線から片寄ってディスク上に記録される。各ビットセルの長さは３６Ｔにならなければならないが、ここでＴは再記録可能なデータ領域でのチャネルビットの長さに対応する。
【０００８】
また、ＢＤ−ＲＥの開発とともに、それに対応する再生専用ディスクである再生専用ブルーレイ（Ｂｌｕ−ｒａｙ）ディスク（‘ＢＤ−ＲＯＭ’という）も現在開発中にあるが、このディスクは図３に示したように、インナー領域、クランピング領域、トランジション領域、情報領域、リム領域を含んでいる。
【０００９】
情報領域はＢＣＡ領域、リードイン領域、データ領域、リードアウト領域、アウター領域に区分されている。ＢＣＡ領域は、ＢＤ−ＲＥと同様にディスクシリアル番号や複写防止情報（ＣＰＩ：Ｃｏｐｙ  Ｐｒｏｔｅｃｔｉｏｎ  Ｉｎｆｏｒｍａｔｉｏｎ）等のディスク主要情報（ＤＩＩ）が記録される。複写防止情報が記録された場合には、そのＤＩＩがディスクに収録されたメインデータを解読するために要求される。
【００１０】
情報領域内のＰＩＣ領域には、データ領域に記録されるＡ／Ｖストリームのようなメインデータと同一のピット形態である直列ピット形態でディスク情報が記録される。このディスク情報は、例えば６４ＫＢのエラー訂正ブロック構造を有し、１７ＰＰ変調方式により変調したデータである。
【発明の開示】
【発明が解決しようとする課題】
【００１１】
しかし、前記のようにＰＩＣ領域に記録されるディスク情報を、メインデータと同一の直列ピット形態で記録すると、そのディスク情報をＲＦ信号検出方式で復調しなければならないため、ＢＤ−ＲＯＭからディスク情報を検出するのに必要な時間が長くなる。
【００１２】
上記のように、ＢＤ−ＲＥのＰＩＣ領域にはディスク情報がウォーブルグルーブにＨＦＭ方式でエンコーディングして記録される。もしＢＤ−ＲＯＭのＰＩＣ領域にディスク情報が直列ピット形態で記録されれば、光ディスク装置は、挿入されたディスクの種類（ＢＤ−ＲＥまたはＢＤ−ＲＯＭ）に依存するディスク情報を得るのに異なる検出方式を適用することになる。検出方式を正しく適用することができなければディスク（ＢＤ−ＲＥまたはＢＤ−ＲＯＭ）に記録されたディスク情報を検出することができない。例えば、ＢＤ−ＲＥのウォーブルグルーブにＨＦＭ変調記録されたディスク情報に対応する検出方式をＢＤ−ＲＯＭに適用すれば、ＢＤ−ＲＯＭのＰＩＣ領域に直列ピット形態として記録されたディスク情報を読み出すことができない。
【００１３】
また、ＢＣＡ領域に記録されたディスク主要情報ＤＩＩにエラーが発生して読めなければ、ディスクに収録されたデータの正常な再生が不可能になる。例えば、ＢＣＡ領域にディスク主要情報ＤＩＩとしてメインデータの解読のための解読情報が記録されていて、その情報にエラーが発生すれば、データ領域に暗号化記録されたＡ／Ｖストリームのメインデータを元の非暗号化されていたＡ／Ｖストリームに解読することができなくなるため、正常なデータ再生動作が不可能になるという問題が発生する。
【００１４】
さらに、ディスクのＰＩＣ領域に記録された複写防止情報は重要なデータ、例えば、データ領域に記録された暗号化したメインデータを解読するためのキーデータを含むため、ディスクに収録された暗号化したメインデータを保護するためには、複写防止情報はあらゆる不法な装置により容易に検出されて他の記録媒体に複写されてはいけない。その情報は、合法的に許された装置で指定された検出方式によってだけ検出されるようになっていなければ、保安性を保障することができない。
【課題を解決するための手段】
【００１５】
本発明の例示的な実施態様では、記録媒体に収録されたコンテンツの再生に必要なディスク情報を速かに検出することができるようにする、ＢＤ−ＲＯＭのような高密度及び／または再生専用記録媒体のような記録媒体、そしてその記録媒体にデータを形成し、記録し、再生する方法と装置を提示する。
【００１６】
本発明の例示的な実施態様では、記録媒体上の一つまたはそれ以上の位置からディスク主要情報を読めなくてもメインデータの再生を行うことができる、ＢＤ−ＲＯＭのような高密度及び／または再生専用記録媒体のような記録媒体を提示し、かつその記録媒体にデータを形成し、記録し、再生する方法と装置を提示する。
【００１７】
本発明の例示的な実施態様では、解読情報が他の記録媒体及び／または他の種類の記録媒体で複写されない形態で記録媒体に収録されたコンテンツを再生するための制御情報を含む、ＢＤ−ＲＯＭのような高密度及び／または再生専用記録媒体のような記録媒体を提示し、かつその記録媒体にデータを形成し、記録し、再生する方法と装置を提示する。
【００１８】
本発明の例示的な実施態様では、ＰＩＣ領域のような、記録媒体のある区間にウォーブルピットでエンコーディングされたディスク情報を含む、ＢＤ−ＲＯＭのような高密度及び／または再生専用記録媒体のような記録媒体を提示し、かつその記録媒体にデータを形成し、記録し、再生する方法と装置を提示する。
【００１９】
本発明の例示的な実施態様では、二つ以上の位置、例えば、ＢＣＡとＢＣＡではない他の位置にある重要なディスク情報を含む、ＢＤ−ＲＯＭのような高密度及び／または再生専用記録媒体のような記録媒体を提示し、かつその記録媒体にデータを形成し、記録し、再生する方法と装置を提示する。
【００２０】
本発明の例示的な実施態様では、ウォーブルピット形態でエンコーディングされた複写防止情報を含む、ＢＤ−ＲＯＭのような高密度及び／または再生専用記録媒体のような記録媒体を提示し、かつその記録媒体にデータを形成し、記録し、再生する方法と装置を提示する。
【００２１】
本発明の例示的な実施態様では、間歇的に形成されたウォーブルピットアレイに分散されてエンコーディングされた複写防止情報を含む、ＢＤ−ＲＯＭのような高密度及び／または再生専用記録媒体のような記録媒体を提示すると共に、その記録媒体にデータを形成し、記録し、再生する方法と装置を提示する。
【００２２】
本発明の例示的な実施態様では、データが記録されたトラックに沿って形成されたピットを含む制御データ領域を有する、ＢＤ−ＲＯＭのような高密度及び／または再生専用記録媒体のような記録媒体を提示すると共に、その記録媒体にデータを形成し、記録し、再生する方法と装置を提示する。本実施態様でのトラックの一部分に形成されたピットは間歇的なまたは交番的なウォーブルピットを形成するために中央から左側及び／または右側に偏移させられ、制御データ領域のトラックの他の部分に形成されたピットは、直列ピットを形成するために実質的にトラックの中心に沿って形成される。
【発明を実施するための最良の形態】
【００２３】
以下、本発明の例示的な実施形態に対して、添付した図面を参照しながら詳細に説明する。
【００２４】
本発明の例示的な実施形態による再生専用ブルーレイディスク（ＢＤ−ＲＯＭ）は、図３を参照しながら前述したように、インナー領域、クランピング領域、トランジション領域、情報領域、リム（Ｒｉｍ）領域を備えたディスク構造を有している。情報領域内に区分して割り当てられているＰＩＣ領域には、図４Ａに示したように、ＢＣＡ領域に記録されたディスクのシリアル番号及び／または複写防止情報等のようなディスク主要情報ＤＩＩを、少なくとも１回以上繰り返して記録される。複写防止情報は、例えば、データ領域に暗号化して記録されたＡ／Ｖストリームのメインデータを解読するためのキー値である。
【００２５】
データ領域に暗号化して記録されたＡ／Ｖストリームのメインデータを解読するための情報、すなわち、複写防止情報（ＣＰＩ：Ｃｏｐｙ  Ｐｒｏｔｅｃｔｉｏｎ  Ｉｎｆｏｒｍａｔｉｏｎ）をＢＣＡ領域に記録せず、ＰＩＣ領域にだけ記録するようにしてもよい。図４Ｂは複写防止情報がＰＩＣ領域にだけ記録された実施形態を示している。複写防止情報は‘ＲＯＭ  Ｍａｒｋ’と呼ばれることもある。この複写防止情報はその複写防止情報が記録されているか否かを示すためのフラグ（ＣＰＩフラグ）を含むことができる。
【００２６】
一方、ＰＩＣ領域の情報は、図４Ｃに示したように、データ領域に記録されるメインデータと同一の直列ピット形態で一部が記録され、ウォーブルピット（ジグザクピット）形態で一部が記録されてもよい。
【００２７】
例示的な実施形態では、ＰＩＣ領域は、２７２０クラスタの大きさを有している。２７２０クラスタの一番目のクラスタには、ディスク情報がバイフェーズ（Ｂｉ−ｐｈａｓｅ）変調方式で変調されたウォーブルピットとして記録されている。その残りのＰＩＣ領域には、６４ＫＢのエラー訂正ＥＣＣブロック構造を有する、１７ＰＰ変調方式により変調したディスク情報と複写防止情報が直列ピット形態で記録されている。例えば、ウォーブルピットにエンコーディングされたディスク情報は、プッシュプル信号方式により検出され、直列ピット形態で記録されたディスク情報及び複写防止情報は、データ領域に記録されたメインデータのように、ＲＦ信号検出方式により検出される。プッシュプル信号は典型的にＲＦ信号に比べて非常に低周波である。
【００２８】
本発明の一実施形態では、ＰＩＣ領域に予備的に記録されたディスク主要情報は、ＲＦ信号検出方式により検出されるのを防止するためにウォーブルピットにエンコーディングされて記録される。
【００２９】
図４Ｄは予備的に記録されたディスク主要情報をウォーブルピットにエンコーディングして記録して、ディスク情報を直列ピットで記録した実施形態であって、図４Ｅはディスク主要情報と一部のディスク情報をウォーブルピットにエンコーディングして記録する実施形態であって、図４Ｆはディスク主要情報とディスク情報全部をウォーブルピットにエンコーディングして記録する実施形態である。
【００３０】
データ領域に記録されたデータは直列ピットで形成するのに対して、複写防止情報、一例ではＲＯＭ  Ｍａｒｋは、一般検出方式により容易に検出されないようにするために、間歇的に形成されたウォーブルピットにエンコーディングされて記録される。
【００３１】
図５は複写防止情報が間歇的に形成されたウォーブルピットにエンコーディングされた本発明の例示的な実施形態を概念的に示したものである。
【００３２】
図５に示したように、秘密性と保安性を保障するためには連続的なウォーブルピット構造の代わりに、複写防止情報が通常の検出方法により容易に検出されないように、間歇的なウォーブル構造を記録することが望ましい。
【００３３】
図５の実施形態では、直列ピット区間‘Ａｎ’とウォーブルピット区間‘Ｂｎ’は交番的に形成されているが、異なる区間長さを有するように直列ピット区間をウォーブルピット区間より相対的に長く形成してもよい。このように形成すれば、複写防止情報がエンコーディングされたウォーブルピット区間は一般検出方式にとってはウォーブル形態がノイズ信号として現われる。
【００３４】
また、各直列ピット区間と各ウォーブルピット区間の長さをそれぞれすべて同じくすることもできるが、直列ピット区間とウォーブルピット区間の長さをそれぞれ異なるように形成することもできる。異なるように形成される場合、すなわち、Ａｎ≠ＡｍそしてＢｎ≠Ｂｍ（ｎ≠ｍ）になるように形成されれば、ウォーブルピット区間の周期性がなくなる。このようにすれば、特定情報がウォーブル形態でエンコーディングされているであろうと推定できる確率を減らすことができる。すなわち、複写防止情報の保安性をさらに向上させることができる。
【００３５】
ウォーブルピットで複写防止情報をエンコーディングする多様な他の方式が知られており、そのうち一つを選択して用いることができる。例えば、アナログ変調方式では、ＡＭ（Ａｍｐｌｉｔｕｄｅ  Ｍｏｄｕｌａｔｉｏｎ）方式、ＰＭ（Ｐｈａｓｅ  Ｍｏｄｕｌａｔｉｏｎ）方式、そしてＦＭ（Ｆｒｅｑｕｅｎｃｙ  Ｍｏｄｕｌａｔｉｏｎ）方式などを使用することができ、デジタル変調方式では、ＰＣＭ（Ｐｕｌｓｅ  Ｃｏｄｅ  Ｍｏｄｕｌａｔｉｏｎ）方式、ＭＳＫ（Ｍｉｎｉｍｕｍ  Ｓｈｉｆｔ  Ｋｅｙｉｎｇ）方式、そしてＢＰＳＫ（Ｂｉｎａｒｙ  Ｐｈａｓｅ  Ｓｈｉｆｔ  Ｋｅｙｉｎｇ）方式などを使用することができる。
【００３６】
そして、複写防止情報を、同一の一つの変調方式によりそれぞれのウォーブルピット区間にエンコーディングして記録することができるが、複写防止情報の保安性をさらに向上させるために、各ウォーブルピット区間に異なる変調方式を適用することもできる。例えば図５に図示した例で、一番目のウォーブルピット区間‘Ｂ１’には、ＡＭ変調方式を用い、二番目のウォーブルピット区間‘Ｂ２’にはＦＭ変調方式など他の方式を適用することができる。
【００３７】
本発明の例示的な一実施形態では、各ウォーブルピット区間にエンコーディングされた情報、すなわち、データビットを正確に検出できるようにするために、その区間にウォーブル形態でエンコーディングするデータビットを繰り返して記録する。
【００３８】
そして、ウォーブルピット区間と非ウォーブルピット区間を相互に組合せたり、複数の領域を組合せて、複写防止のためのビットを検出するようにすることができる。例えば、データビットに対応するウォーブルピットの記録区間をいくつかの区間に分散して記録し、ウォーブルピットのウォーブル振幅を小さくし、ローレベルのプッシュプル信号を検出して積分することによってビットを検出できるようにすることができる。
【００３９】
本発明の例示的な実施形態では、前記のような複写防止情報は、約１２８ビットの記録大きさとすることができるが、１２８ビットの複写防止情報に、ヘッダー情報とエラー訂正ＥＣＣのための冗長データを付加すると、最大１ＫＢ程度の記録大きさになる。
【００４０】
ところが、ＢＤ−ＲＯＭの一つの物理的クラスタは、図６に示したように、その大きさが例示的に６４ＫＢで、１６のアドレスユニットを持つ。各アドレスユニットはさらに３１個のデータフレームを含む。それゆえ、各アドレスユニットのフレーム同期がＦＳ０で始まる一番目のフレーム（Ｄａｔａ  Ｆｒａｍｅ#０）のピット列をウォーブル形態でエンコーディングして、複写防止情報の一バイトを記録すれば一つのクラスタに総１６バイトを記録することになる。
【００４１】
したがって、６４クラスタに約１ＫＢの複写防止情報が収納される。もし、例示的なＰＩＣ領域が２７２０クラスタを有するならば少なくとも一つの複写防止情報を十分に収容することができる。さらに、検出の信頼性のために数回繰り返して記録しても十分収容することができる。
【００４２】
本発明の他の例示的な実施形態では、複写防止情報をエンコーディングするために、各アドレスユニットの一番目のフレームの代わりに他のフレームをウォーブル形態で形成することももちろん可能であり、二つ以上のフレームをウォーブル形態で形成することもできる。
【００４３】
また、各アドレスユニットで決められた特定のフレームのピット列をウォーブル形態で形成する代わりに、アドレスユニット毎にフレームを変えてウォーブル形態で形成することができる。このような例示的な実施形態ではウォーブル形態による低周波信号の出力時点が変わることになるので周期性を除去することができ、前述したように保安性を向上させることができる。
【００４４】
また、複写防止情報を直列ピットとして記録することもできる。このような例示的な実施形態では記録される前に複写防止情報を暗号化し、暗号化した複写防止情報を解読することができるキー値をウォーブルピットにエンコーディングして記録する。それによって、直列ピットに記録された複写防止情報が複写されるのを防ぐことができる。
【００４５】
図７はデータがバイフェーズ変調方式でウォーブルピットのウォーブル形態にエンコーディングされたディスクデータと情報を検出するための回路が示されている。図７の例では、‘０１０１’の例示的な値が、バイフェーズ変調形態、例えばバイフェーズ変調ＨＦＭグルーブでウォーブルピットと共にエンコーディングされている。図７のウォーブルピットの記録例では、一ビットの値が６個の３Ｔ信号（Ｍａｒｋ）が記録された３６Ｔ（ＭａｒｋとＳｐａｃｅ含む）で構成されて、‘１’を示す６個のピット列と‘０’を示す６個のピット列の左右遷移は相互反対に構成されている。
【００４６】
図７に示したように、バイフェーズ変調による構造は図２に例示された構造と異なる。すなわち、図２の方法は、ビットセルの開始時に遷移があるように表現される０のビットと、ビットセルの開始時と中間で遷移があるように表現される１のビットを有するが、図７の方法は、ロー（Ｌｏｗ）の開始で中間にハイ（Ｈｉｇｈ）へ遷移する０のビットと、その反対に遷移する１のビットを有する。ビットの組合せはウォーブルピットとして記録された情報を検出するためのデータを構成する。ウォーブルピットは複写防止情報、例えば、図４Ａないし図４Ｆに示した記録媒体のデータ領域に記録されたメインデータを解読するためのキーデータである。
【００４７】
すなわち、ウォーブルピットデータは、バイフェーズ変調データが検出される時だけ、または正常に再生される時だけ再生されたり、検出される。そして、正常に検出されたまたは再生されたバイフェーズ変調データを用いて複写防止のためのウォーブルピットデータが再生されたり、検出される時だけメインデータの再生または解読が可能である。
【００４８】
一方、情報がピットにエンコーディングされれば、同一長さの連続したピットの発生は許さないで異なる長さのピットがつながる。この例示的な実施形態では、ピット列のウォーブルにデータをエンコーディングするために大体１８Ｔ毎にピット列の位置（すなわち、位相）が偏移する。
【００４９】
前記のように記録されたウォーブルピット列から反射される反射光は４分割受光素子１３〜１６により光電変換される。
【００５０】
光電変換された電気信号Ｅａ、Ｅｂ、Ｅｃ、Ｅｄは、通常のプッシュプル（Ｐｕｓｈ−Ｐｕｌｌ）方式のトラック制御のための回路によって、図７に示したように、トラックの左側信号Ｅａ＋Ｅｂと右側信号Ｅｃ＋Ｅｄがそれぞれ増幅器１０、１１により増幅され、差動増幅器１２により左右側の差信号５０１（Ｅａ＋Ｅｂ）−（Ｅｃ＋Ｅｄ）が出力される。この差信号５０１を基準値と比較してバイナリ信号に変換すればウォーブルピットにエンコーディングされたデータを得ることができる。
【００５１】
同様の方式で、ウォーブルピットにエンコーディングされたディスク主要情報及び／またはディスク情報（または他の情報）は、通常のプッシュプル方式の制御のために使われるトラッキング誤差信号を生成するための差信号＝（Ｅａ＋Ｅｂ）−（Ｅｃ＋Ｅｄ）から、別途のエラー訂正や復調動作を行わずに検出することができる。
【００５２】
もし、ディスクの装着時にＢＣＡ領域をアクセスする時スクラッチまたは他のディスク変形によりエラーが発生すれば、ＰＩＣ領域に予備的に反復記録されたディスク主要情報を検出してその情報を利用して、データ再生動作を正常に遂行できる。すなわち、ＰＩＣ領域に記録されたディスク主要情報に含まれた解読キー値を利用して、データ領域に記録されたメインデータを解読して出力することができる。
【００５３】
ウォーブルピットにエンコーディングされたデータ、例えば、ディスク主要情報及び／またはディスク情報は復調後に出力される情報ではないので、この情報はＢＤ−ＲＯＭに収録されたデータを記録可能媒体に複写する場合にも複写されない。したがって、記録媒体に複写された暗号化したデータは再生が不可能であるのでＢＤ−ＲＯＭコンテンツの不法複製を防止することができる。
【００５４】
例えば、図４Ｃないし図４Ｅの実施形態に示すように、直列ピットで記録され、ＰＩＣ領域に記録されたディスク情報と複写防止情報は、図８に示した過程によって検出される。
【００５５】
すなわち、直列ピットから反射される反射光は、図８に示したように、４分割受光素子１３〜１６により光電変換され、光電変換された電気信号Ｅａ、Ｅｂ、Ｅｃ、Ｅｄが、第１及び第２加算増幅器２０、２１と、第３加算増幅器２２によりそれぞれ加算増幅されて、ＲＦ信号ＲＦ＝（Ｅａ＋Ｅｃ）＋（Ｅｂ＋Ｅｄ）として出力される。このＲＦ信号はＲＦ部２３により二進信号に変換され、、二進信号に同期したクロックによりデジタルデータに変換される。このデジタルデータはエラー訂正及び復調部２４により元のディスク情報及び複写防止情報として復調され出力される。
【００５６】
直列ピットに記録されたディスク情報及び複写防止情報を読みだす前記の過程は、データ領域に記録されたメインデータを読みだす方法と完全同一である。
【００５７】
一方、ディスク情報には、図９に示したように、ディスク情報ＩＤ、ディスク情報フォーマット、ディスクタイプＩＤ、ディスクサイズ／バージョン、ディスク構造等のような多様な主要情報を含む。光ディスクの種類を示す例示的な３バイトのディスクタイプＩＤ（ｄｉｓｃ_ｔｙｐｅ_ｉｄ）情報は、図１０に示したように、リードイン領域の前に割り当てられたＢＣＡ（Ｂｕｒｓｔ  Ｃｕｔｔｉｎｇ  Ａｒｅａ）領域に２ビットで記録される。
【００５８】
例えば、２ビットの値が００ｂである場合、ＢＤ−ＲＥであることを示し、０１ｂである場合、１回記録可能なＢＤ−Ｒ、１０ｂである場合、ＢＤ−ＲＯＭであることを示している。
【００５９】
また、ディスク情報のうち予備領域に、ディスク情報の記録サイズを示すためのディスク情報サイズと、最終ディスク情報であるかどうかを示すフラグのためのフィールドを割り当ててもよい。
【００６０】
図１１はディスク記録媒体を再生する光ディスク装置を概括的に示したものであって、光ピックアップ３０、信号処理及びサーボ制御を遂行するＶＤＰ（Ｖｉｄｅｏ  Ｄｉｓｃ  Ｐｌａｙ）システム３１、Ｄ／Ａ変換器３２等で構成される。このディスク装置のＶＤＰシステム３１は、ＢＣＡ領域に付加記録されたディスクタイプ情報を優先的に検出して、光ディスクのタイプを判別した後、それに対応する初期サーボ動作を正確に実行できるようにする。
【００６１】
また、光ディスク装置のＶＤＰシステム３１は、図７のように記録された、ＰＩＣ領域のウォーブルピットにエンコーディングされたディスク情報、例えばデータゾーンのメインデータを暗号及び／または解読するキーデータを、プッシュプル信号方式を利用して検出することができる。
【００６２】
もし、ディスク情報の予備領域にディスク情報サイズと最終ディスク情報終了フラグが割り当てられていれば、その情報を参照して、装着されたディスクのＰＩＣ領域に記録されたディスク情報と複写防止情報をさらに正確に検出することができる。
【００６３】
本発明のさらに他の例示的な実施形態では、ディスク情報と複写防止情報を別々に検出するための別途のトランジション領域を、ＰＩＣ領域内に割り当てることができる。
【００６４】
また、複写防止情報が直列ピットに暗号化して記録された場合には、ＶＤＰシステム３１はＰＩＣ領域のウォーブルピットにエンコーディングされている複写防止情報解読キーを、図７の方式で先に検出して、その検出された解読キーを用いて直列ピットから読まれた複写防止情報を解読して、解読された複写防止情報を格納して、その後にデータゾーンで暗号化したメインデータを再生する時にその格納された複写防止情報を用いて暗号化したメインデータを解読して出力する。
【００６５】
前記で詳細に説明された本発明の例示的な実施形態による高密度、再生専用及び／または光ディスクとそのディスクに対するディスク情報記録方法は、そのディスクに収録されたコンテンツの保護に必要な主要な情報を反復記録し、またウォーブルピットでエンコーディングしれて記録することによって、データ再生の信頼性を向上させることができ、収録されたコンテンツが不法に他の記録媒体に複写されて再生されるのを防止することができる。
【００６６】
以上、前述した本発明の望ましい実施形態は、例示の目的のために開示されたものであって、当業者ならば、添付された特許請求範囲に開示された本発明の技術的思想とその技術的範囲内で、他の多様な実施形態を改良、変更、代替または付加などが可能である。
【図面の簡単な説明】
【００６７】
【図１Ａ】従来の再記録可能なブルーレイディスク（ＢＤ−ＲＥ）のディスク構造を示したものである。
【図１Ｂ】従来の再記録可能なブルーレイディスクのディスク構造を示した図である。
【図２】再記録可能なブルーレイディスクのＰＩＣ領域に形成された高周波変調（ＨＦＭ）グルーブを示したものである。
【図３】再生専用ブルーレイディスク（ＢＤ−ＲＯＭ）に割り当てられている各領域を示したものである。
【図４Ａ】本発明の例示的な実施形態による高密度ブルーレイディスクのＰＩＣ領域へのデータ記録形態の実施形態を示したものである。
【図４Ｂ】本発明の例示的な実施形態による高密度ブルーレイディスクのＰＩＣ領域へのデータ記録形態の実施形態を示したものである。
【図４Ｃ】本発明の例示的な実施形態による高密度ブルーレイディスクのＰＩＣ領域へのデータ記録形態の実施形態を示したものである。
【図４Ｄ】本発明の例示的な実施形態による高密度ブルーレイディスクのＰＩＣ領域へのデータ記録形態の実施形態を示したものである。
【図４Ｅ】本発明の例示的な実施形態による高密度ブルーレイディスクのＰＩＣ領域へのデータ記録形態の実施形態を示したものである。
【図４Ｆ】本発明の例示的な実施形態による高密度ブルーレイディスクのＰＩＣ領域へのデータ記録形態の実施形態を示したものである。
【図５】本発明の例示的な一実施形態によって複写防止情報がウォーブルピット区間に分けられてエンコーディング記録される例を示したものである。
【図６】本発明の例示的な実施形態によるブルーレイディスクの記録単位である物理的クラスタのデータ記録構造を示したものである。
【図７】本発明の例示的な実施形態によってウォーブルピットにエンコーディングされたデータを検出する過程の例を示したものである。
【図８】本発明の例示的な実施形態によって直列ピットに記録された情報を検出する過程を示したものである。
【図９】本発明の例示的な実施形態によって高密度ブルーレイディスクに記録管理されるディスク情報のフィールドを示したものである。
【図１０】本発明の例示的な一実施形態によってＢＣＡ領域に記録されるディスクタイプ情報を例示したのである。
【図１１】本発明の例示的な一実施形態が適用された高密度ブルーレイディスクを再生できる光ディスク装置の構成を概略的に示したのである。
【図１Ａ】
2008027576.tif 000003
【図１Ｂ】
2008027576.tif 000004
【図２】
2008027576.tif 000005
【図３】
2008027576.tif 000006
【図４Ａ】
2008027576.tif 000007
【図４Ｂ】
2008027576.tif 000008
【図４Ｃ】
2008027576.tif 000009
【図４Ｄ】
2008027576.tif 000010
【図４Ｅ】
2008027576.tif 000011
【図４Ｆ】
2008027576.tif 000012
【図５】
2008027576.tif 000013
【図６】
2008027576.tif 000014
【図７】
2008027576.tif 000015
【図８】
2008027576.tif 000016
【図９】
2008027576.tif 000017
【図１０】
2008027576.tif 000018
【図１１】
2008027576.tif 000019